【事件の表示】
　特願２０１３−２２５１１９号「遊技機」拒絶査定不服審判事件〔平成２７年　５月　７日出願公開、特開２０１５−　８４８９６号〕について、次のとおり審決する。
【結　論】
　本件審判の請求は、成り立たない。
【理　由】
第１　手続の経緯
　本願は，平成２５年１０月３０日に出願したものであって，平成２８年５月１１日付けで拒絶理由が通知され，これに対し同年７月１１日に意見書及び手続補正書が提出され，同年１２月２２日付けで拒絶査定がなされ（発送日：平成２９年１月１０日），これに対して平成２９年４月４日に拒絶査定不服審判の請求がなされ，その審判請求と同時に手続補正がなされ，同年５月８日に前置報告がなされ，これに対して同年６月１４日に上申書が提出されたものである。
第２　平成２９年４月４日付けの手続補正についての補正の却下の決定
［補正の却下の決定の結論］
　平成２９年４月４日付けの手続補正（以下「本件補正」という。）を却下する。
［理由］
１　本件補正の概要
　本件補正は特許請求の範囲の請求項１に対する補正を含むものであり，平成２８年７月１１日付けの手続補正と本件補正の特許請求の範囲の請求項１の記載はそれぞれ，以下のとおりである（下線部は本件補正の補正箇所を示す。）。
（補正前：平成２８年７月１１日付けの手続補正）
「【請求項１】
　所定の遊技が可能な遊技機であって，
　遊技に関連する演出音を出力可能な演出音出力部と，
　遊技者の動作を検出可能な検出部と，
　前記演出音出力部から出力される演出音の音量を，該遊技機が設置されている遊技店側が設定可能な第１設定手段と，
　前記演出音出力部から出力される演出音の音量を，前記検出部での検出により遊技者側が設定可能な第２設定手段と，
　前記第２設定手段により設定される音量を前記検出部での検出がなされたことに基づいて段階的に変更可能な音量変更手段と，
　前記検出部での検出がなされたときに，該検出後に前記第２設定手段により設定される音量に対応する確認音を前記演出音出力部から出力するための処理を実行する確認音出力手段と，
　前記第２設定手段にて設定される音量を認識可能に表示する表示手段と，
　を備え，
　前記第２設定手段は，所定範囲内で前記音量の設定が可能であり，
　前記確認音出力手段は，前記第２設定手段により設定される音量が所定範囲の上限にある場合において，当該音量を前記所定範囲の上限外へ変更するように前記検出部での検出がなされたときには確認音を出力するための処理を実行せず，
　前記表示手段は，前記第１設定手段により新たに音量が設定された場合には，当該新たに設定された音量にもとづき，前記第２設定手段にて設定される音量表示を行う
　ことを特徴とする遊技機。」
（補正後：本件補正である平成２９年４月４日付け手続補正）
「【請求項１】
　所定の遊技が可能な遊技機であって，
　遊技に関連する演出音を出力可能な演出音出力部と，
　遊技者の動作を検出可能な検出部と，
　前記演出音出力部から出力される演出音の音量を，該遊技機が設置されている遊技店側が設定可能な第１設定手段と，
　前記演出音出力部から出力される演出音の音量を，前記検出部での検出により遊技者側が設定可能な第２設定手段と，
　前記第２設定手段により設定される音量を前記検出部での検出がなされたことに基づいて段階的に変更可能な音量変更手段と，
　前記検出部での検出がなされたときに，該検出後に前記第２設定手段により設定される音量に対応する確認音を前記演出音出力部から出力するための処理を実行する確認音出力手段と，
　前記第２設定手段にて設定される音量を認識可能に表示する表示手段と，
　を備え，
　前記第２設定手段は，所定範囲内で前記音量の設定が可能であり，
　前記確認音出力手段は，
　
一の確認音の出力が終了してから新たな確認音を出力し，
　前記第２設定手段により設定される音量が所定範囲の上限にある場合において，当該音量を前記所定範囲の上限外へ変更するように前記検出部での検出がなされたときには確認音を出力するための処理を実行せず，
　前記表示手段は，前記第１設定手段により新たに音量が設定された場合には，当該新たに設定された音量にもとづき，前記第２設定手段にて設定される音量表示を行う
　ことを特徴とする遊技機。」
２　補正の適否
（１）補正事項
　本件補正は，補正前の請求項１について，以下に挙げる補正事項を含むものである。
ア　補正前の請求項１に記載された発明特定事項である「確認音出力手段」に関して，「
一の確認音の出力が終了してから新たな確認音を出力し，
（２）補正の目的等についての検討
　補正事項アは，「確認音出力手段」について「
一の確認音の出力が終了してから新たな確認音を出力
　そして，本件補正は，本願の願書に最初に添付した特許請求の範囲，明細書及び図面（以下，「当初明細書等」という。）の段落【０２５７】の記載に基づくものであるから，新規事項を追加するものではない。
３　独立特許要件
　そこで，本件補正後の請求項１に記載された事項により特定される発明が特許出願の際独立して特許を受けることができるものであるか否か，すなわち，特許法第１７条の２第６項において準用する同法第１２６条第７項の規定に適合するか否か，について以下に検討する。
（１）本件補正後の請求項１に記載された事項により特定される発明
　本件補正後の請求項１に記載された事項により特定される発明（以下，「本願補正発明」という。）は，上記「１　本件補正の概要」に本件補正後の請求項１として記載した以下のとおりのものである（Ａ〜Ｉは，本願補正発明を分説するために当審で付した。）。
「Ａ　所定の遊技が可能な遊技機であって，
Ｂ　遊技に関連する演出音を出力可能な演出音出力部と，
Ｃ　遊技者の動作を検出可能な検出部と，
Ｄ　前記演出音出力部から出力される演出音の音量を，該遊技機が設置されている遊技店側が設定可能な第１設定手段と，
Ｅ−１　前記演出音出力部から出力される演出音の音量を，前記検出部での検出により遊技者側が設定可能な第２設定手段と，
Ｆ　前記第２設定手段により設定される音量を前記検出部での検出がなされたことに基づいて段階的に変更可能な音量変更手段と，
Ｇ−１　前記検出部での検出がなされたときに，該検出後に前記第２設定手段により設定される音量に対応する確認音を前記演出音出力部から出力するための処理を実行する確認音出力手段と，
Ｈ−１　前記第２設定手段にて設定される音量を認識可能に表示する表示手段と，
　を備え，
Ｅ−２　前記第２設定手段は，所定範囲内で前記音量の設定が可能であり，
Ｇ−２　前記確認音出力手段は，
　
一の確認音の出力が終了してから新たな確認音を出力し，
Ｇ−３　前記第２設定手段により設定される音量が所定範囲の上限にある場合において，当該音量を前記所定範囲の上限外へ変更するように前記検出部での検出がなされたときには確認音を出力するための処理を実行せず，
Ｈ−２　前記表示手段は，前記第１設定手段により新たに音量が設定された場合には，当該新たに設定された音量にもとづき，前記第２設定手段にて設定される音量表示を行う
　ことを特徴とする
Ｉ　遊技機。」
（２）刊行物に記載された事項
　原査定の平成２８年５月１１日付け拒絶理由に引用された本願の出願前に頒布された刊行物である特開２０１１−２００５１１号公報（以下，「刊行物１」という。）には，図面とともに次の事項が記載されている（下線は当審で付した。）。
（ア）「【図面の簡単な説明】
【００１１】
・・・
【図１２】
演出制御用マイクロコンピュータ８１が実行する音量変更処理の処理内容を示すフローチャートである。
・・・」
（イ）「【００２８】
　遊技領域７の外側の左右上部には，エラー音や
演出用の効果音（演出音）を発する２つのスピーカ２７Ｌ，２７Ｒ
演出用の効果音を発する２つのスピーカ２７ａ，２７ｂ
【００２９】
　また，スピーカ２７ａの上部位置には，スピーカ２７Ｌ，２７Ｒ，２７ａ，２７ｂから出力される音の音量を変更する際に
遊技者が操作する音量変更ボタンスイッチ６１
（ウ）「【０１１０】
　本実施の形態における音量範囲設定部８３を図１１に示す。音量範囲設定部８３には，図１１に示すように，３つの設定回転子８３ａ，８３ｂ，８３ｃが設けられている。
　・・・
【０１１２】
　
設定回転子８３ａは，スピーカ２７Ｌ，２７Ｒ，２７ａ，２７ｂから出力される音の音量範囲と初期音量を，遊技場の関係者（係員）が設定する部分であり，
（エ）「【０１３０】
　また，操作台基板５０８には，図５に示すように，シリアル−パラレル変換ＩＣ５２０に加えて，これらシリアル−パラレル変換ＩＣ５２０から出力されるパラレルデータが入力されることで，バイブレータ５１４内の振動モータ５１４ａ並びに風モータ５１５ａを駆動する駆動制御ＩＣ５２１や，
操作レバー６００に設けられたレバースイッチ５１０ａ〜５１０ｄ，
音量変更ボタンスイッチ６１，
の入力を検出し，信号入力に対応した所定の検知信号を出力するセンサ監視ＩＣ５２４と，
【０１３１】
　この実施の形態では，操作台基板５０８に搭載された入力ＩＣであるパラレル−シリアル変換ＩＣ５２３と演出制御用マイクロコンピュータ８１並びに座標特定用ＤＳＰ２６６とは，中継基板８８，８９を介して入力信号線，クロック信号線および入力取込信号線（座標特定用ＤＳＰ２６６は無し）が接続されており，演出制御用マイクロコンピュータ８１は，所定のタイミングで入力取込信号を，中継基板８８，８９を介してパラレル−シリアル変換ＩＣ５２３に出力する。すると，パラレル−シリアル変換ＩＣ５２３は，入力取込信号（ラッチ信号）に基づいて，センサ監視ＩＣ５２４から出力されるレバースイッチ５１０ａ〜５１０ｄ，トリガースイッチ５１２ａ，タッチセンサ５１３，音量変更ボタンスイッチ６１，イアホン装着スイッチ６２’からの検出信号および振動モータ５１４ａと風モータ５１５ａの各駆動フィードバック（ＦＢ）信号並びに励磁相フィードバック（ＦＢ）信号の検出信号をラッチし，中継基板８８，８９を介して演出制御用マイクロコンピュータ８１並びに座標特定用ＤＳＰ２６６に出力する。つまり，パラレル−シリアル変換ＩＣ５２３は，レバースイッチ５１０ａ〜５１０ｄ，トリガースイッチ５１２ａ，タッチセンサ５１３，音量変更ボタンスイッチ６１，イアホン装着スイッチ６２’，駆動フィードバック（ＦＢ）信号出力ゲート５２５ａ，５２５ｂ，励磁相フィードバック（ＦＢ）信号出力ゲート５２６ａ，５２６ｂから，センサ監視ＩＣ５２４を介してパラレルに入力した検出信号をシリアルデータに変換して出力する。
【０１３２】
　このように，音量変更ボタンスイッチ６１，イアホン装着スイッチ６２’の入力状態を示すシリアルデータが，入力取込信号に応じて演出制御用マイクロコンピュータ８１に送信されるので，
演出制御用マイクロコンピュータ８１（演出制御用ＣＰＵ８６）は，音量変更ボタンスイッチ６１の操作の有無
を把握できるようになっている。
（オ）「【０１４３】
　よって，パラレル−シリアル変換ＩＣ５２３のパラレル入力ポートには，レバースイッチ５１０ａ〜５１０ｄ，トリガースイッチ５１２ａ，タッチセンサ５１３，音量変更ボタンスイッチ６１，イアホン装着スイッチ６２’，駆動フィードバック（ＦＢ）信号出力ゲート５２５ａ，５２５ｂ，励磁相フィードバック（ＦＢ）信号出力ゲート５２６ａ，５２６ｂから出力される出力信号と合致した信号が入力されるので，該パラレル入力ポートに入力される信号が，入力取込信号（ラッチ信号）の入力に応じて取り込まれ，中継基板８８，８９を介して演出制御用マイクロコンピュータ８１並びに座標特定用ＤＳＰ２６６にシリアルデータとして出力されることで，
演出制御用マイクロコンピュータ８１が，
操作レバー６００の操作方向
を検知できる
（カ）「【０２９１】
　コマンド解析処理を実行した後には，飾り図柄プロセス処理を実行する（ステップＳａ５７）。この飾り図柄プロセス処理では，変動表示装置９の表示画面にて行われる飾り図柄の可変表示の進行状況並びに操作レバー６００の操作に応じて，変動表示装置９の表示出力，スピーカ２７Ｌ，２７Ｒ，２７ａ，２７ｂからの音声出力，各種ＬＥＤの点灯動作などにより各種の演出動作を実行するための設定が行われる。そして，演出側乱数値更新処理が実行されることにより（ステップＳａ５８），演出制御基板８０の側にて乱数回路（図示略）等によりカウントされる各種の乱数値が更新される。さらに，異常の発生等を変動表示装置９等の演出装置における表示やスピーカ２７Ｌ，２７Ｒ，２７ａ，２７ｂからのエラー音の出力により報知を行う報知制御処理（ステップＳａ５９）や，音量変更ボタンスイッチ６１の操作に応じて
スピーカ２７Ｌ，２７Ｒ，２７ａ，２７ｂ
からの出力音量を遊技者が変更する
音量変更処理
（キ）「【０３９５】
　次に，図１２〜図１４に基づいて，本実施の形態の
パチンコ機２
【０３９６】
　遊技者が，スピーカ２７Ｌ，２７Ｒ，２７ａ，２７ｂから出力される音量や，イアホン端子装着部６２から出力される音量を変更したい場合には，音量変更ボタンスイッチ６１を操作すれば良い。
【０３９７】
　この音量変更ボタンスイッチ６１の操作に応じた信号が，前述したように，センサ監視ＩＣ５２４に入力され，該入力に応じた信号がパラレル−シリアル変換ＩＣ５２３に入力されて，これら入力状態を示すシリアルデータとして演出制御用マイクロコンピュータ８１に送信されることで，演出制御用マイクロコンピュータ８１は，遊技者による音量変更ボタンスイッチ６１の操作があったことを検知することができる。
【０３９８】
　これら音量変更ボタンスイッチ６１が操作されたことは，図２２のステップＳ６０にて実行される音量変更処理におけるＳｈ１のステップにて「Ｙｅｓ」と判定されてＳｈ２のステップに進む。尚，音量変更ボタンスイッチ６１が操作されてない場合には，Ｓｈ１のステップにて「Ｎｏ」と判定されて当該処理を終了する。
　・・・
【０４０６】
　一方，イアホン端子装着部６２にイアホンが装着されていない場合には，Ｓｈ９のステップに進み，音量範囲設定部８３の設定回転子８３ａにて設定されている上限音量と下限音量，並びにＲＡＭ８５の所定領域に格納されている
現在において設定されているスピーカ音量（これらスピーカ音量が格納されていないときには，音量範囲設定部８３の設定回転子８３ａにて設定されている初期音量）を特定し，
設定されているスピーカ音量
が表示された
スピーカ音量設定画面を変動表示装置９に表示する
【０４０７】
　Ｓｈ１１のステップにおいては，座標特定用ＤＳＰ２６６に対してレバー操作許諾指示を出力して，該座標特定用ＤＳＰ２６６から，操作レバー６００の操作による座標データの出力を開始させ，操作レバー６００の操作を有効とする。
【０４０８】
　そして，Ｓｈ１２のステップとＳｈ１３のステップとを巡回実施することで，レバー操作があったか（Ｘ座標の変更があったか），設定終了条件が成立したか否かを判定する。
【０４０９】
　
Ｓｈ１２のステップにおいて，
レバー操作があったと判定された場合には，Ｓｈ１６のステップに進んで，
新たな音量が，上下限音量の範囲内であるか否かを判定する。
【０４１０】
　
該判定において，上下限音量の範囲内である場合にはＳｈ１７のステップに進んで，操作方向
に所定レベルだけ設定音量表示（黒バー）を移動させる表示制御を実施するとともに，該移動後の音量による所定の調整音をスピーカ２７Ｌ，２７Ｒ，２７ａ，２７ｂ
から出力させる制御を行
【０４１１】
　尚，
Ｓｈ１６のステップにおける判定において，上下限音量の範囲内でない場合には，Ｓｈ１７，Ｓｈ１８のステップを実施することなく，Ｓｈ１２のステップに戻る
【０４１２】
　つまり，
遊技者は，
スピーカ音量設定画面が表示されたことに応じて，操作レバー６００を，
音量を大きくしたい場合にはパチンコ機２に向かって右方向に操作
所望の音量を選択
選択した音量を設定する場合には，音量変更ボタンスイッチ６１を操作
【０４１３】
　この音量設定画面の表示中における音量変更ボタンスイッチ６１の操作により，Ｓｈ１３のステップにおいて設定終了条件が成立したと判断されてＳｈ１４のステップに進み，ＲＡＭ８５の所定領域に格納されているイアホン音量或いはスピーカ音量のデータが更新（格納）されるともに，図１４（ｂ）に示すように，これら更新後のイアホン音量或いはスピーカ音量が，画像音声生成用ＬＳＩ２６２を介して音声出力基板７０に対して出力されて設定されるとともに，各音量設定画面の表示が終了される。そして，座標特定用ＤＳＰ２６６に対してレバー操作無効指示を出力して座標データの出力を終了させて（ステップＳｈ１５），操作レバー６００の操作を有効として当該処理を終了する。」
（ク）上記段落【００１１】の記載を参酌すると，【図１２】には演出制御用マイクロコンピュータ８１が実行する音量変更処理の処理内容を示すフローチャートが記載されているところ，【図１２】には当該音量変更処理には，
・移動後の音量が上下限範囲内か否かを判断するＳｈ１６のステップ
・操作方向に所定レベルだけ設定音量表示を移動する処理
　及び移動後の音量による調整音を出力する処理であるＳｈ１７のステップ
が含まれることが図示されている。
　上記記載事項（ア）〜（キ）及び上記図示事項（ク）より，以下の事項が導かれる。
　なお，（ａ）〜（ｉ）は本願補正発明の構成Ａ〜Ｉに対応した事項を示している。
（ａ）上記段落【０３９５】には「パチンコ機２」と記載されており，刊行物１には，
　
パチンコ機２
（ｂ）上記段落【００２８】には「演出用の効果音（演出音）を発する２つのスピーカ２７Ｌ，２７Ｒ」，「演出用の効果音を発する２つのスピーカ２７ａ，２７ｂ」と記載されているので，刊行物１には，
　
演出用の効果音（演出音）を発するスピーカ２７Ｌ，２７Ｒ，２７ａ，２７ｂ
（ｃ）上記段落【００２９】には「遊技者が操作する音量変更ボタンスイッチ６１」と記載され，上記段落【０４１２】には「遊技者は，・・・操作レバー６００を・・・音量を大きくしたい場合にはパチンコ機２に向かって右方向に操作・・・」と記載され，上記段落【０１３０】には「操作レバー６００に設けられたレバースイッチ５１０ａ〜５１０ｄ，・・・音量変更ボタンスイッチ６１，・・・から出力される信号・・・の入力を検出し，信号入力に対応した所定の検知信号を出力するセンサ監視ＩＣ５２４と，」と記載され，上記段落【０１３２】には「演出制御用マイクロコンピュータ８１（演出制御用ＣＰＵ８６）は，音量変更ボタンスイッチ６１の操作の有無・・・を把握できるようになっている。」と記載され，上記段落【０１４３】には「演出制御用マイクロコンピュータ８１が，・・・操作レバー６００の操作方向・・・を検知できる」と記載されているので，刊行物１には，
　
遊技者が操作する音量変更ボタンスイッチ６１と，
　
音量を大きくしたい場合に，遊技者がパチンコ機２に向かって右方向に操作する操作レバー６００と，
　
操作レバー６００に設けられたレバースイッチ５１０ａ〜５１０ｄ，音量変更ボタンスイッチ６１から出力される信号の入力を検出し，信号入力に対応した所定の検知信号を出力するセンサ監視ＩＣ５２４と，
　
音量変更ボタンスイッチ６１の操作の有無を把握したり，操作レバー６００の操作方向を検知できる演出制御用マイクロコンピュータ８１
（ｄ）上記段落【０１１２】には「設定回転子８３ａは，スピーカ２７Ｌ，２７Ｒ，２７ａ，２７ｂから出力される音の音量範囲と初期音量を，遊技場の関係者（係員）が設定する部分であり」と記載されているから，刊行物１には，
　
スピーカ２７Ｌ，２７Ｒ，２７ａ，２７ｂから出力される音の音量範囲と初期音量を，遊技場の関係者（係員）が設定する設定回転子８３ａ
（ｅ−１）上記段落【０２９１】には「スピーカ２７Ｌ，２７Ｒ，２７ａ，２７ｂ・・・からの出力音量を遊技者が変更する・・・音量変更処理」と記載され，上記段落【０４１２】には「遊技者は・・・スピーカ音量設定画面が表示されたことに応じて，操作レバー６００を・・・操作・・・所望の音量を選択」，「選択した音量を設定する場合には，音量変更ボタンスイッチ６１を操作・・・」と記載されているから，刊行物１には，
　スピーカ２７Ｌ，２７Ｒ，２７ａ，２７ｂからの出力音量を遊技者が変更するにあたり，遊技者がスピーカ音量設定画面が表示されたことに応じて操作レバー６００を操作して所望の音量を選択し，音量変更ボタンスイッチ６１を操作することにより選択した音量を設定する音量変更処理を行うことが記載されているといえる。
　そして，上記【００１１】には「演出制御用マイクロコンピュータ８１が実行する音量変更処理」とも記載されている。
　したがって，刊行物１には，
　
スピーカ２７Ｌ，２７Ｒ，２７ａ，２７ｂからの出力音量を遊技者が変更するにあたり，遊技者がスピーカ音量設定画面が表示されたことに応じて操作レバー６００を操作して所望の音量を選択し，音量変更ボタンスイッチ６１を操作することにより選択した音量を設定する音量変更処理を行う演出制御用マイクロコンピュータ８１
（ｆ，ｇ−１，ｅ−２）上記段落【０４０９】には「Ｓｈ１２のステップにおいて，・・・レバー操作があったと判定された場合には，Ｓｈ１６のステップに進んで，・・・新たな音量が，上下限音量の範囲内であるか否かを判定する。」と記載され，上記段落【０４１０】には「該判定において，上下限音量の範囲内である場合にはＳｈ１７のステップに進んで，操作方向・・・に所定レベルだけ設定音量表示（黒バー）を移動させる表示制御を実施するとともに，該移動後の音量による所定の調整音をスピーカ２７Ｌ，２７Ｒ，２７ａ，２７ｂ・・・から出力させる制御を行」うことが記載されている。
　そして，上記【図１２】には上記Ｓｈ１６のステップ，Ｓｈ１７のステップは，それぞれ音量変更処理に含まれるステップであることが図示され，上記段落【００１１】には「演出制御用マイクロコンピュータ８１が実行する音量変更処理」と記載されているところから，上記Ｓｈ１６のステップ，Ｓｈ１７のステップは，演出制御用マイクロコンピュータ８１により実行されていることは明らかである。
　したがって，刊行物１には，
　
レバー操作があったと判定された場合には，新たな音量が上下限音量の範囲内であるか否かを判定するＳｈ１６のステップを実行し，Ｓｈ１６のステップの判定において新たな音量が上下限音量の範囲内である場合には，操作方向に所定レベルだけ設定音量表示（黒バー）を移動させるとともに移動後の音量により所定の調整音を処理をスピーカ２７Ｌ，２７Ｒ，２７ａ，２７ｂから出力させるＳｈ１７のステップを実行する演出制御用マイクロコンピュータ８１
（ｈ−１，ｈ−２）上記段落【０４０６】には「現在において設定されているスピーカ音量（これらスピーカ音量が格納されていないときには，音量範囲設定部８３の設定回転子８３ａにて設定されている初期音量）を特定し，・・・設定されているスピーカ音量・・・が表示された・・・スピーカ音量設定画面を変動表示装置９に表示する」と記載されているから，刊行物１には，
　
現在において設定されているスピーカ音量（これらスピーカ音量が格納されていないときには，音量範囲設定部８３の設定回転子８３ａにて設定されている初期音量）が表示されたスピーカ音量設定画面を表示する変動表示装置９
（ｇ−３）上記段落【０４１１】には「Ｓｈ１６のステップにおける判定において，上下限音量の範囲内でない場合には，Ｓｈ１７・・・のステップを実施することなく，Ｓｈ１２のステップに戻る」と記載されている。
　ここで上記（ｆ，ｇ−１，ｅ−２）に示したとおり，刊行物１には
・Ｓｈ１７のステップは，演出制御用マイクロコンピュータ８１により実行されるものであること
・Ｓｈ１７のステップには所定の調整音をスピーカ２７Ｌ，２７Ｒ，２７ａ，２７ｂから出力させる処理を含むこと
がそれぞれ記載されている。
　したがって，刊行物１には，
　
Ｓｈ１６のステップにおける判定において新たな音量が上下限音量の範囲内でない場合には，所定の調整音を出力する処理を含むＳｈ１７のステップを実施することのない演出制御用マイクロコンピュータ８１
（ｉ）上記（ａ）のとおり，刊行物１には，
　
パチンコ機２
　上記記載事項（ア）〜（キ），図示事項（ク）及び上記の認定事項（ａ）〜（ｉ）から，刊行物１には，次の発明（以下，「引用発明１」という。）が記載されていると認められる。
　
「ａ　パチンコ機２であって，
ｂ　演出用の効果音（演出音）を発するスピーカ２７Ｌ，２７Ｒ，２７ａ，２７ｂと，
ｃ　遊技者が操作する音量変更ボタンスイッチ６１と，
　音量を大きくしたい場合に，遊技者がパチンコ機２に向かって右方向に操作する操作レバー６００と，
　操作レバー６００に設けられたレバースイッチ５１０ａ〜５１０ｄ，音量変更ボタンスイッチ６１から出力される信号の入力を検出し，信号入力に対応した所定の検知信号を出力するセンサ監視ＩＣ５２４と，
　音量変更ボタンスイッチ６１の操作の有無を把握したり，操作レバー６００の操作方向を検知できる演出制御用マイクロコンピュータ８１と，
ｄ　スピーカ２７Ｌ，２７Ｒ，２７ａ，２７ｂから出力される音の音量範囲と初期音量を，遊技場の関係者（係員）が設定する設定回転子８３ａと，
ｅ−１　スピーカ２７Ｌ，２７Ｒ，２７ａ，２７ｂからの出力音量を遊技者が変更するにあたり，遊技者がスピーカ音量設定画面が表示されたことに応じて操作レバー６００を操作して所望の音量を選択し，音量変更ボタンスイッチ６１を操作することにより選択した音量を設定する音量変更処理を行う演出制御用マイクロコンピュータ８１と，
ｆ，ｇ−１，ｅ−２　レバー操作があったと判定された場合には，新たな音量が上下限音量の範囲内であるか否かを判定するＳｈ１６のステップを実行し，Ｓｈ１６のステップの判定において新たな音量が上下限音量の範囲内である場合には，操作方向に所定レベルだけ設定音量表示（黒バー）を移動させるとともに移動後の音量により所定の調整音を処理をスピーカ２７Ｌ，２７Ｒ，２７ａ，２７ｂから出力させるＳｈ１７のステップを実行する演出制御用マイクロコンピュータ８１と，
ｈ−１，ｈ−２　現在において設定されているスピーカ音量（これらスピーカ音量が格納されていないときには，音量範囲設定部８３の設定回転子８３ａにて設定されている初期音量）が表示されたスピーカ音量設定画面を表示する変動表示装置９と，
ｇ−３　Ｓｈ１６のステップにおける判定において，新たな音量が上下限音量の範囲内でない場合には，所定の調整音を出力する処理を含むＳｈ１７のステップを実施することのない演出制御用マイクロコンピュータ８１とを有する
ｉ　パチンコ機２。」
（３）対比
（ａ）引用発明１の構成ａの「パチンコ機２」は，パチンコという遊技が可能な遊技機であることが明らかである。したがって，引用発明１の「パチンコ機２」は，
　本願補正発明の「所定の遊技が可能な遊技機」に相当する。
（ｂ）引用発明１の構成ｂの「演出用の効果音（演出音）」は，遊技に関連するものであることは明らかである。したがって，引用発明１の「演出用の効果音（演出音）を発するスピーカ２７Ｌ，２７Ｒ，２７ａ，２７ｂ」は，
　本願補正発明の「遊技に関連する演出音を出力可能な演出音出力部」の機能を有するといえる。
（ｃ）引用発明１の構成ｃの「音量変更ボタンスイッチ６１」及び「操作レバー６００」は遊技者によって操作されるものである。してみると，引用発明１の構成ｃにおける「操作レバー６００に設けられたレバースイッチ５１０ａ〜５１０ｄ，音量変更ボタンスイッチ６１から出力される信号の入力を検出」することは，本願補正発明の本願補正発明における「遊技者の動作を検出」していることに相当するといえる。
　したがって，引用発明１の構成ｃの「操作レバー６００に設けられたレバースイッチ５１０ａ〜５１０ｄ，音量変更ボタンスイッチ６１から出力される信号の入力を検出し，信号入力に対応した所定の検知信号を出力するセンサ監視ＩＣ５２４」は，
　本願補正発明の「遊技者の動作を検出可能な検出部」の機能を有するといえる。
（ｄ）上記（ｂ）に示したとおり，引用発明１の構成ｂの「スピーカ２７Ｌ，２７Ｒ，２７ａ，２７ｂ」は演出用の効果音（演出音）を出力するものである。したがって，引用発明１の構成ｄにおける「スピーカ２７Ｌ，２７Ｒ，２７ａ，２７ｂから出力される音」は，本願補正発明の「演出音」に相当するといえる。
　また，引用発明１の構成ｄにおける「遊技場の関係者（係員）」は，遊技機が設置されている遊技店側の者であることは，明らかである。
　してみると，引用発明１の構成ｄの「スピーカ２７Ｌ，２７Ｒ，２７ａ，２７ｂから出力される音の音量範囲と初期音量を，遊技場の関係者（係員）が設定する設定回転子８３ａ」は，
　本願補正発明の「前記演出音出力部から出力される演出音の音量を，該遊技機が設置されている遊技店側が設定可能な第１設定手段」の機能を有するといえる。
（ｅ−１）引用発明１の構成ｅ−１における「スピーカ２７Ｌ，２７Ｒ，２７ａ，２７ｂからの出力音量」は，本願補正発明の「前記演出音出力部から出力される演出音の音量」に相当するといえる。
　そして，引用発明１の「遊技者がスピーカ音量設定画面が表示されたことに応じて操作レバー６００を操作して所望の音量を選択」する処理，及び「音量変更ボタンスイッチ６１を操作することにより選択した音量を設定する」処理を含む音量変更処理は，演出制御用マイクロコンピュータ８１により実行されるものである。
　また，このような音量変更処理を演出制御用マイクロコンピュータ８１が実行するためには，上記「操作レバー６００の操作」及び「音量変更ボタンスイッチ６１の操作」について，センサ監視ＩＣ５２４が検出することが必要であることは，当業者にとって明らかである。
　してみると，引用発明１の構成ｅ−１の「スピーカ２７Ｌ，２７Ｒ，２７ａ，２７ｂからの出力音量を遊技者が変更するにあたり，遊技者がスピーカ音量設定画面が表示されたことに応じて操作レバー６００を操作して所望の音量を選択し，音量変更ボタンスイッチ６１を操作することにより選択した音量を設定する音量変更処理を行う演出制御用マイクロコンピュータ８１」は，
　本願補正発明の「前記演出音出力部から出力される演出音の音量を，前記検出部での検出により遊技者側が設定可能な第２設定手段」の機能を有するといえる。
（ｆ）引用発明１の構成ｆ，ｇ−１，ｅ−２において「レバー操作があったと判定された」ことは，本願補正発明の「検出部での検出がなされたこと」に相当する。
　また，引用発明１の構成ｆ，ｇ−１，ｅ−２において「新たな音量が上下限音量の範囲内であるか否かを判定し，その判定において上下限音量の範囲内である場合には，操作方向に所定レベルだけ設定音量表示（黒バー）を移動させる」処理を行っているが，設定音量の表示である設定音量表示（黒バー）が所定レベルだけ移動するのであるから，設定音量を所定レベルだけ段階的に変更することが可能であることは明らかである。
　してみると，引用発明１の構成ｆ，ｇ−１，ｅ−２の「レバー操作があったと判定された場合には，新たな音量が上下限音量の範囲内であるか否かを判定するＳｈ１６のステップを実行し，Ｓｈ１６のステップの判定において新たな音量が上下限音量の範囲内である場合には，操作方向に所定レベルだけ設定音量表示（黒バー）を移動させるとともに移動後の音量により所定の調整音を処理をスピーカ２７Ｌ，２７Ｒ，２７ａ，２７ｂから出力させるＳｈ１７のステップを実行する演出制御用マイクロコンピュータ８１」は，
　本願補正発明の「前記第２設定手段により設定される音量を前記検出部での検出がなされたことに基づいて段階的に変更可能な音量変更手段」の機能を有するといえる。
（ｇ−１）上記（ｆ）のとおり，引用発明１の構成ｆ，ｇ−１，ｅ−２において「レバー操作があったと判定された」ことは，本願補正発明の「検出部での検出がなされたこと」に相当する。
　また，引用発明１の構成ｆ，ｇ−１，ｅ−２の「移動後の音量」は，「新たな音量が上下限音量の範囲内である場合には，操作方向に所定レベルだけ設定音量表示（黒バー）を移動させ」た後の音量であるので，「新たな音量」に対応するものである。そして，引用発明１における「新たな音量」とは，引用発明１の構成ｅ−１において設定される音量であることは，当業者にとって明らかである。してみると，引用発明１の構成ｆ，ｇ−１，ｅ−２の「スピーカ２７Ｌ，２７Ｒ，２７ａ，２７ｂから出力」される「移動後の音量」による「所定の調整音」は，本願補正発明の「前記第２設定手段により設定される音量に対応する確認音」に相当するといえる。
　したがって，引用発明１の構成ｆ，ｇ−１，ｅ−２の「レバー操作があったと判定された場合には，新たな音量が上下限音量の範囲内であるか否かを判定するＳｈ１６のステップを実行し，Ｓｈ１６のステップの判定において新たな音量が上下限音量の範囲内である場合には，操作方向に所定レベルだけ設定音量表示（黒バー）を移動させるとともに移動後の音量により所定の調整音を処理をスピーカ２７Ｌ，２７Ｒ，２７ａ，２７ｂから出力させるＳｈ１７のステップを実行する演出制御用マイクロコンピュータ８１」は，
　本願補正発明の「前記検出部での検出がなされたときに，該検出後に前記第２設定手段により設定される音量に対応する確認音を前記演出音出力部から出力するための処理を実行する確認音出力手段」の機能を有するといえる。
（ｈ−１）引用発明１の構成ｈ−１，ｈ−２の「現在において設定されているスピーカ音量」とは，上記音量変更処理を実行する演出制御用マイクロコンピュータ８１により変更される音量であることは明らかである。
　してみると，引用発明１の構成ｈ−１，ｈ−２の「現在において設定されているスピーカ音量（これらスピーカ音量が格納されていないときには，音量範囲設定部８３の設定回転子８３ａにて設定されている初期音量）が表示されたスピーカ音量設定画面を表示する変動表示装置９」は，
　本願補正発明の本願補正発明の「第２設定手段にて設定される音量を認識可能に表示する表示手段」の機能を有するといえる。
（ｅ−２）上記（ｆ）に示したとおり，引用発明１の構成ｆ，ｇ−１，ｅ−２において「新たな音量が上下限音量の範囲内であるか否かを判定し，その判定において上下限音量の範囲内である場合には，操作方向に所定レベルだけ設定音量表示（黒バー）を移動させる」処理を行っているところから，引用発明１においては，所定範囲内での音量の設定が可能であることは明らかである。
　したがって，引用発明１の構成ｆ，ｇ−１，ｅ−２の「レバー操作があったと判定された場合には，新たな音量が上下限音量の範囲内であるか否かを判定するＳｈ１６のステップを実行し，Ｓｈ１６のステップの判定において新たな音量が上下限音量の範囲内である場合には，操作方向に所定レベルだけ設定音量表示（黒バー）を移動させるとともに移動後の音量により所定の調整音を処理をスピーカ２７Ｌ，２７Ｒ，２７ａ，２７ｂから出力させるＳｈ１７のステップを実行する演出制御用マイクロコンピュータ８１」は，
　本願補正発明の「所定範囲内で前記音量の設定が可能であ」る，第２設定手段の機能を有するといえる。
（ｇ−３）引用発明１の構成ｇ−３において，新たな音量が上限音量を超える場合には，新たな音量が上下限音量の範囲外となるため，所定の調整音を出力する処理を含むＳｈ１７のステップを実施することがないものである。　してみると，引用発明１において，新たな音量が上限音量を超えるという条件に加えて，現在設定されている音量が上限であるという条件がある場合においても，所定の調整音を出力する処理を含むＳｈ１７のステップを行わないということは，当業者にとって明らかである。
　したがって，引用発明１の構成ｇ−３の「Ｓｈ１６のステップにおける判定において，新たな音量が上下限音量の範囲内でない場合には，所定の調整音を出力する処理を含むＳｈ１７のステップを実施することのない演出制御用マイクロコンピュータ８１」は，
　本願補正発明の「前記第２設定手段により設定される音量が所定範囲の上限にある場合において，当該音量を前記所定範囲の上限外へ変更するように前記検出部での検出がなされたときには確認音を出力するための処理を実行」しない確認音出力手段の機能を有するといえる。
（ｈ−２）引用発明１の構成ｈ−１，ｈ−２の「音量範囲設定部８３の設定回転子８３ａ」は，本願補正発明の「第１設定手段」の機能を有する。
　さて，引用発明１において，スピーカ音量が格納されていないときには，変動表示装置９には，音量範囲設定部８３の設定回転子８３ａにて設定された初期音量が表示されたスピーカ音量設定画面が表示されることとなる。
　この状態で，新たに，上記設定回転子８３ａで初期音量を設定した場合には，その新たに設定された初期音量が表示されたスピーカ音量設定画面が，変動表示装置９に表示されることは，当業者にとって明らかである。
　したがって，引用発明１の構成ｈ−１，ｈ−２の「現在において設定されているスピーカ音量（これらスピーカ音量が格納されていないときには，音量範囲設定部８３の設定回転子８３ａにて設定されている初期音量）が表示されたスピーカ音量設定画面を表示する変動表示装置９」は，
　本願補正発明の「前記第１設定手段により新たに音量が設定された場合には，当該新たに設定された音量にもとづき，前記第２設定手段にて設定される音量表示を行う」表示手段の機能を有するといえる。
（ｉ）引用発明１の構成ｉの「パチンコ機２」は，
　本願補正発明の「遊技機」に相当する。
　上記（ａ）〜（ｉ）から，本願補正発明と引用発明とは，
［一致点］
Ａ　所定の遊技が可能な遊技機であって，
Ｂ　遊技に関連する演出音を出力可能な演出音出力部と，
Ｃ　遊技者の動作を検出可能な検出部と，
Ｄ　前記演出音出力部から出力される演出音の音量を，該遊技機が設置されている遊技店側が設定可能な第１設定手段と，
Ｅ−１　前記演出音出力部から出力される演出音の音量を，前記検出部での検出により遊技者側が設定可能な第２設定手段と，
Ｆ　前記第２設定手段により設定される音量を前記検出部での検出がなされたことに基づいて段階的に変更可能な音量変更手段と，
Ｇ−１　前記検出部での検出がなされたときに，該検出後に前記第２設定手段により設定される音量に対応する確認音を前記演出音出力部から出力するための処理を実行する確認音出力手段と，
Ｈ−１　前記第２設定手段にて設定される音量を認識可能に表示する表示手段と，
　を備え，
Ｅ−２　前記第２設定手段は，所定範囲内で前記音量の設定が可能であり，
Ｇ−３　前記確認音出力手段は，
　前記第２設定手段により設定される音量が所定範囲の上限にある場合において，当該音量を前記所定範囲の上限外へ変更するように前記検出部での検出がなされたときには確認音を出力するための処理を実行せず，
Ｈ−２　前記表示手段は，前記第１設定手段により新たに音量が設定された場合には，当該新たに設定された音量にもとづき，前記第２設定手段にて設定される音量表示を行う
Ｉ　遊技機。」
　である点で一致し，以下の点で相違する。
［相違点１］（構成Ｇ−２）
　第２設定手段により設定される音量に対応する確認音を出力する確認音出力手段に関し，本願補正発明では「一の確認音の出力が終了してから新たな確認音を出力」しているのに対し，
　引用発明１ではそのような構成であるか不明である点。
（４）判断
　相違点１について検討する。
　本願出願時の音量調整の技術分野において，音量調整の操作を行うと確認音を出力するとともに，この確認音の出力中に再度音量調整の操作を行うと現在出力中の確認音を中断することにより終了させて，新たな確認音を出力するという技術事項は周知である。
　この技術事項は，例えば，
　特開２００２−２１８３５１号公報（段落【００４０】に「先ず，全音声発音時間がＬで，現在の音量設定値が“０”である場合，時刻ｔ１でリモコンの設定キーを１回押して音量設定値を“１”にすると，音声メモリ１に記憶されている所定の音声データが音量設定値“１”に対応する音量の確認音Ｗ１で発音される。
確認音Ｗ１が発音開始された後，ユーザが音量の大きさを判定し，全発音時間Ｌが経過する前の時刻ｔ２で更に設定キーを１回押して音量設定値を“２”に変更すると，その時点で発音中の確認音Ｗ１が中断され，新たに音量設定値“２”に対応する音量の確認音Ｗ２が発音開始される。
　特開２００７−２６７９５５号公報（段落【００５３】には「報知手段３１は報知切り換え手段３３による切り換えに従い，切り換えられた音量を音声報知手段３１ａにより音声で報知できる。」と記載され，段落【００５７】には「また，音量の切り換えに伴なう音や音声による報知は，切り換えられた音量にて行うようにしている。」と記載され，段落【００５４】には「この場合，
音声報知手段３１ａによる切り換えられた音量の音声報知中に，別の音量に切り換えられたとき，制御手段３４はその時点の音量の音声報知を中断し，切り換えられた別の音量につき音声報知手段３１ａにより音声報知するようにする。
切り換えを有効とする待ち時間ｔが経過しないデータＤ１
の報知途中
次の切り換え操作で別の音量例えば「中」に切り換えられたとき，制御手段３４がその時点の音量の報知１を中断し，切り換えられた別の音量「中」についての音声での報知２を行い，
にも記載されているように，対象とする機器の分野を問わず周知である。
　そして，引用発明１と上記周知の技術事項とは，ともに利用者による音量調節ができる電子機器であるという点で関連する技術分野に属するといえ，更に音量調節の状態について，利用者に音声で報知するという点において共通の作用，機能を有しているといえる。
　したがって，引用発明１において，設定される音量に対応する確認音（調整音）について，確認音の出力中に再度音量調整の操作を行うと現在出力中の確認音を終了させて新たな確認音を出力するという上記周知の技術事項を適用して，相違点１に係る本願補正発明の構成とすることは，当業者にとって容易である。
　そして，本願補正発明の効果についても検討してみても，刊行物１，上記周知の技術事項から当業者が予想する範囲のものであり，格別なものとは認められない。
（５）請求人の主張について
　請求人は，平成２９年６月１４日付けの上申書において「補正後の請求項１に係る発明は，「一の確認音の出力が終了してから新たな確認音を出力」するものでありますので，そもそも音の重複を生じることはありません。仮に，一の確認音の出力が終了したときと新たな確認音の出力が開始されたときとの間隔がとても短く，音が連続して聴こえるように遊技者が感じたとしても，遊技者は最後部（新たな確認音における最後の部分）を把握することで現在の音量を認識できます。なお，補正後の請求項１に係る発明では，表示手段が設定される音量を認識可能に表示します。つまり，遊技者は，音量を聴覚及び視覚の両方で適切に認識できます。
　従いまして，補正後の請求項１に係る発明が「遊技者が短期間に連続して操作を行ったときに，確認音が連続して出力されてしまい，遊技者が確認音の認識に誤認を生じるおそれがなく，現在設定された音量がいずれの音量であるかを把握しやすいという有用な作用」を有することは明らかです。」と主張している。
　この主張について検討する。上記のとおり引用発明１と周知の技術事項から導かれる発明における確認音（調整音）は，確認音の出力中に再度音量調整の操作を行うと現在出力中の確認音を中断することにより終了させて，新たな確認音を出力するものであるので，確認音の重複が生じないものであって，上記主張における「遊技者が短期間に連続して操作を行ったときに，確認音が連続して出力されてしまい，遊技者が確認音の認識に誤認を生じるおそれがなく，現在設定された音量がいずれの音量であるかを把握しやすいという有用な作用」を有することも明らかである。
　よって，上記主張における，本願補正発明の上記「有用な作用」は，引用発明１及び上記周知の技術事項から予測しうるものといえるので，請求人の主張は採用できない。
（６）まとめ
　したがって，本願補正発明は，引用文献１及び上記周知の技術事項から，当業者が容易に発明をすることができたものであるので，特許法第２９条第２項の規定に基づいて特許出願の際独立して特許を受けることができない。
　よって，本件補正は，特許法第１７条の２第６項にて準用する同法第１２６条第７項の規定に違反するので，同法第１５９条第１項において読み替えて準用する同法第５３条第１項の規定により却下すべきものである。
第３　本願発明
　本件補正は，上記のとおり却下されることとなったので，本願の請求項１に係る発明は，平成２８年７月１１日付け手続補正書により補正された特許請求の範囲の請求項１に記載された事項により特定されるとおりのものであるところ，その請求項１に係る発明（以下，「本願発明」という。）は，上記「第２［理由］１」に本件補正前の請求項１として記載したとおりのものである。
１　刊行物１
　原査定の平成２８年５月１１日付け拒絶理由に引用された本願出願前に頒布された刊行物１の記載事項及び引用発明１の認定については，上記「第２［理由］３（２）」に記載したとおりである。
２　対比・判断
　本願発明は，上記「第２［理由］１」で検討した本願補正発明から，
ア　「確認音出力手段」について「
一の確認音の出力が終了してから新たな確認音を出力
　このような本願発明は，上記本願補正発明から，上記「第２［理由］３（３）」で示した本願補正発明と引用発明１の相違点である［相違点１］に関する構成を省いたものといえる。したがって，本願発明と，引用発明１とは構成上の差異はない。
　したがって，本願発明は，刊行物１に記載された発明である。
　また仮に，本願発明と，引用発明１との間に相違点があったとしても，本願発明は刊行物１に接した当業者が容易に発明できたものである。
３　むすび
　以上の通り，本願発明は，特許法第２９条第１項第３号または同法第２９条第２項の規定により特許を受けることができないものである。
　したがって，その余の請求項について検討するまでもなく，本願は拒絶すべきものである。
　よって，結論のとおり審決する。